【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
仮想移動体に対応する第１オブジェクトと、ユーザに対応する第２オブジェクトと、を表示する表示領域を有する表示部と、
前記第１オブジェクト及び前記第２オブジェクトの前記表示領域内での表示位置を制御する制御部と、
を備え、
前記制御部は、
前記ユーザが第１地点から第２地点まで移動している間に、
前記第１オブジェクトの前記表示位置を、前記ユーザが移動を開始した時点からの経過時間と設定された目標ペースとに基づく第１の移動距離に応じた位置に設定し、
前記第２オブジェクトの前記表示位置を、前記経過時間で、前記ユーザが前記第１地点から移動した第２の移動距離に応じた位置に設定することを特徴する運動支援装置。
【請求項２】
前記制御部は、
前記ユーザが移動を開始する時点での前記第１オブジェクトと前記第２オブジェクトとの表示位置を、前記表示領域の第１の方向に沿って設けられた起点位置と終点位置における、前記起点位置で前記第１の方向に直交する第２の方向に沿って、互いに離間したスタート位置に設定することを特徴する請求項１に記載の運動支援装置。
【請求項３】
前記制御部は、
前記ユーザが移動している間において、
前記第１の移動距離を、前記経過時間と前記目標ペースの積とし、
前記第１オブジェクトの前記表示位置を、一定の時間間隔毎の前記経過時間での前記第１の移動距離の変化に応じて、前記起点位置から前記終点位置との間で、前記第１の方向に沿って移動させ、
前記第２オブジェクトの前記表示位置を、前記一定の時間間隔毎の前記経過時間での前記第２の移動距離の変化に応じて、前記起点位置から前記終点位置との間で、前記第１の方向に沿って移動させることを特徴する請求項２に記載の運動支援装置。
【請求項４】
前記制御部は、
前記ユーザが前記第２地点に到達する前に、前記第１オブジェクトが前記終点位置まで移動した場合には、前記ユーザが前記第２地点に到達するまで、前記第１オブジェクトを前記終点位置に停止させた状態で、前記第１オブジェクトの表示を継続させることを特徴する請求項３に記載の運動支援装置。
【請求項５】
前記第１オブジェクト及び前記第２オブジェクトは、人を模した形状を有し、少なくとも足の部分が走る動作をしているように動いているアニメーション画像であることを特徴する請求項１乃至４のいずれかに記載の運動支援装置。
【請求項６】
前記目標ペースを生成するための情報が蓄積された記憶部と、
前記ユーザの移動予定経路を入力する入力操作部と、
前記移動予定経路を、所定の距離を有する複数の移動区間に分割し、前記複数の移動区間の各々の開始地点と終了地点とを、それぞれ前記第１地点と前記第２地点とに対応させ、前記記憶部に蓄積されている前記情報に基づいて、前記移動区間毎の前記目標ペースを設定する目標ペース設定部と、
を備えることを特徴する請求項１乃至５のいずれかに記載の運動支援装置。
【請求項７】
前記ユーザの移動速度に関連するセンサデータを取得する移動速度取得部を備え、
前記記憶部は、前記移動速度取得部により取得された前記ユーザの過去の前記センサデータを、前記情報として蓄積しており、
前記目標ペース設定部は、前記記憶部に蓄積されている、前記移動速度取得部により取得された前記ユーザの過去の前記センサデータに基づいて、前記目標ペースを設定することを特徴する請求項６に記載の運動支援装置。
【請求項８】
前記目標ペース設定部が設定する前記目標ペースは、前記記憶部に、前記移動速度取得部により取得された前記ユーザの新たな前記センサデータが蓄積されるごとに、更新されることを特徴する請求項７に記載の運動支援装置。
【請求項９】
前記入力操作部、前記移動速度取得部、前記表示部及び前記制御部は、単一の機器に設けられ、前記ユーザの移動中、前記ユーザの身体に装着されていることを特徴する請求項７又は８に記載の運動支援装置。
【請求項１０】
前記記憶部及び前記目標ペース設定部は、前記機器に通信可能な状態で接続された外部の情報処理装置であることを特徴する請求項９に記載の運動支援装置。
【請求項１１】
前記情報処理装置は、前記機器にネットワークを介して通信可能な状態で接続されていることを特徴する請求項１０に記載の運動支援装置。
【請求項１２】
前記制御部は、
ユーザが、前記複数の移動区間における、最終の移動区間以外の第１の移動区間の終了地点まで移動し、該第１の移動区間に続く第２の移動区間の移動を開始した時点で、前記第１オブジェクト及び前記第２オブジェクトの表示位置を前記スタート位置に設定することを特徴する請求項６乃至１１のいずれかに記載の運動支援装置。
【請求項１３】
前記制御部は、
前記表示部の前記表示領域の前記第１オブジェクトに対応した領域に、前記目標ペースの値を表示させ、
前記表示部の前記表示領域の前記第２オブジェクトに対応した領域に、前記ユーザの移動速度の値を表示させ、
前記移動区間が変わる毎に、前記目標ペースの値を、変更後の前記移動区間に対して設定された値に更新することを特徴する請求項１２に記載の運動支援装置。
【請求項１４】
前記制御部は、
前記ユーザが前記第２地点に到達する前に、前記第１オブジェクトが前記終点位置まで移動した場合には、前記第１オブジェクトが前記終点位置に移動した時点の前記ユーザの移動速度を、前記目標ペースの値として表示させることを特徴する請求項１３に記載の運動支援装置。
【請求項１５】
仮想移動体に対応する第１オブジェクトと、ユーザに対応する第２オブジェクトと、を表示部の表示領域に表示し、前記ユーザが第１地点から第２地点まで移動している間において、前記第１オブジェクトの表示位置を、前記ユーザが移動を開始した時点からの経過時間と設定された目標ペースとに基づく第１の移動距離に応じた位置に設定して、前記第１オブジェクトの表示位置を、経過時間の進行に応じて移動させ、
前記ユーザが前記第１地点から前記第２地点まで移動している間において、前記第２オブジェクトの表示位置を、前記経過時間で、前記ユーザが前記第１地点から移動した第２の移動距離に応じた位置に設定して、前記第２オブジェクトを、前記ユーザの移動に応じて移動させることを特徴する運動支援方法。
【請求項１６】
前記ユーザが移動を開始する時点での前記第１オブジェクトと前記第２オブジェクトとの表示位置を、前記表示領域の第１の方向に沿って設けられた起点位置と終点位置における、前記起点位置で前記第１の方向に直交する第２の方向に沿って、互いに離間したスタート位置に設定することを特徴する請求項１５に記載の運動支援方法。
【請求項１７】
前記ユーザが移動している間において、
前記第１の移動距離を、前記経過時間と前記目標ペースの積とし、
前記第１オブジェクトの前記表示位置を、一定の時間間隔毎の前記経過時間での前記第１の移動距離の変化に応じて、前記起点位置から前記終点位置との間で、前記第１の方向に沿って移動させ、
前記第２オブジェクトの前記表示位置を、前記一定の時間間隔毎の前記経過時間での前記第２の移動距離の変化に応じて、前記起点位置から前記終点位置との間で、前記第１の方向に沿って移動させることを特徴する請求項１６に記載の運動支援方法。
【請求項１８】
前記ユーザが前記第２地点に到達する前に、前記第１オブジェクトが前記終点位置まで移動した場合には、前記ユーザが前記第２地点に到達するまで、前記第１オブジェクトを前記終点位置に停止させた状態で、前記第１オブジェクトの表示を継続させることを特徴する請求項１７に記載の運動支援方法。
【請求項１９】
前記第１オブジェクト及び前記第２オブジェクトを、人を模した形状を有し、少なくとも足の部分が走る動作をしているように動いているアニメーション画像で表示することを特徴する請求項１５乃至１８のいずれかに記載の運動支援方法。
【請求項２０】
コンピュータに、
仮想移動体に対応する第１オブジェクトと、ユーザに対応する第２オブジェクトと、を表示部の表示領域に表示させ、
前記ユーザが第１地点から第２地点まで移動している間において、前記第１オブジェクトの表示位置を、前記ユーザが移動を開始した時点からの経過時間と設定された目標ペースとの積による第１の移動距離に応じた位置に設定して、前記第１オブジェクトを、経過時間の進行に応じて移動させるように表示させ、
前記ユーザが前記第１地点から前記第２地点まで移動している間において、前記第２オブジェクトの表示位置を、前記経過時間で、前記ユーザが前記第１地点から実際に移動した第２の移動距離に応じた位置に設定して、前記第２オブジェクトを、前記ユーザの移動に応じて移動させるように表示させることを特徴する運動支援プログラム。
【手続補正２】
【補正対象書類名】明細書
【補正対象項目名】０００９
【補正方法】変更
【補正の内容】
【０００９】
本発明に係る運動支援装置は、
仮想移動体に対応する第１オブジェクトと、ユーザに対応する第２オブジェクトと、を表示する表示領域を有する表示部と、
前記第１オブジェクト及び前記第２オブジェクトの前記表示領域内での表示位置を制御する制御部と、
を備え、
前記制御部は、
前記ユーザが第１地点から第２地点まで移動している間に、
前記第１オブジェクトの前記表示位置を、前記ユーザが移動を開始した時点からの経過時間と設定された目標ペースとに基づく第１の移動距離に応じた位置に設定し、
前記第２オブジェクトの前記表示位置を、前記経過時間で、前記ユーザが前記第１地点から移動した第２の移動距離に応じた位置に設定することを特徴する。
【手続補正３】
【補正対象書類名】明細書
【補正対象項目名】００１０
【補正方法】変更
【補正の内容】
【００１０】
本発明に係る運動支援方法は、
仮想移動体に対応する第１オブジェクトと、ユーザに対応する第２オブジェクトと、を表示部の表示領域に表示し、前記ユーザが第１地点から第２地点まで移動している間において、前記第１オブジェクトの表示位置を、前記ユーザが移動を開始した時点からの経過時間と設定された目標ペースとに基づく第１の移動距離に応じた位置に設定して、前記第１オブジェクトの表示位置を、経過時間の進行に応じて移動させ、
前記ユーザが前記第１地点から前記第２地点まで移動している間において、前記第２オブジェクトの表示位置を、前記経過時間で、前記ユーザが前記第１地点から移動した第２の移動距離に応じた位置に設定して、前記第２オブジェクトを、前記ユーザの移動に応じて移動させることを特徴する。
【手続補正４】
【補正対象書類名】明細書
【補正対象項目名】００１１
【補正方法】変更
【補正の内容】
【００１１】
本発明に係る運動支援プログラムは、
コンピュータに、
仮想移動体に対応する第１オブジェクトと、ユーザに対応する第２オブジェクトと、を表示部の表示領域に表示させ、
前記ユーザが第１地点から第２地点まで移動している間において、前記第１オブジェクトの表示位置を、前記ユーザが移動を開始した時点からの経過時間と設定された目標ペースとの積による第１の移動距離に応じた位置に設定して、前記第１オブジェクトを、経過時間の進行に応じて移動させるように表示させ、
前記ユーザが前記第１地点から前記第２地点まで移動している間において、前記第２オブジェクトの表示位置を、前記経過時間で、前記ユーザが前記第１地点から実際に移動した第２の移動距離に応じた位置に設定して、前記第２オブジェクトを、前記ユーザの移動に応じて移動させるように表示させることを特徴する。
【手続補正５】
【補正対象書類名】明細書
【補正対象項目名】００９５
【補正方法】変更
【補正の内容】
【００９５】
１１    仮想オブジェクト
２１    ユーザＵＳのオブジェクト
１００    リスト機器
１１０    ＧＰＳ受信回路（移動速度取得部）
１２０    センサ部
１３０    入力インターフェース部（入力操作部）
１４０    出力インターフェース部
１４１    表示部
１５０    演算回路（移動速度取得部、目標ペース設定部、制御部）
１６０    メモリ部
１６４    目標ペースデータベース（記憶部）
２００    情報処理装置
２５０    演算回路
２６０    メモリ部
２７０    通信機能部
３００    情報通信端末
４００    ネットワーク
５００    ネットワークサーバ（情報処理装置）
５５０    演算回路
５６０    メモリ部
５７０    通信機能部
ＵＳ      ユーザ